(57)【要約】【課題】ペット用紙オムツにおいて、大型犬であっても容易に装着でき、排泄物を漏らすことなく、ペットの体調等により装着状態を容易に変化させる。【解決手段】このペット用紙オムツ１００は、平面視で略長方形のシート状の吸水体１３０と、吸水体１３０を表裏方向で挟持して保持する少なくとも２層構造からなる略長方形の本体部１１０とを含む。本体部１１０には、装着時においてペットの胴部を筒状に覆うための部位が略長方形の短辺両端側に延設され、胴背部１１２および胴腹部１１４を形成している。本体部１１０には、装着時においてペットの尻尾が貫通するＵ字形状の穴部１５０（貫通部）を吸水体１３０の短辺近傍の位置に備える。本体部１１０の非吸水面側の穴部１５０近傍には、装着時において吸水体１３０を背中側へ引き上げるための２本の調整用テープ１６０を備える。【選択図】図１
2015029467.tif 000002
【特許請求の範囲】
【請求項１】
平面視で略長方形のシート状の吸水体と、前記吸水体を挟持して保持する少なくとも２層構造の本体部とを含むペット用紙オムツであって、
前記本体部は、装着時においてペットの胴部を筒状に覆うための部位が前記略長方形の短辺両端側に延設されるとともに、装着時において前記ペットの尻尾が貫通する貫通部を前記吸水体の短辺近傍の位置に備え、
前記本体部の非吸水面側の前記貫通部近傍に設けられ、装着時において前記吸水体を背中側へ引き上げるための調整手段を含む、ペット用紙オムツ。
【請求項２】
前記調整手段は、
前記本体部の非吸水面側に設けられた少なくとも２本の調整用テープを含み、
前記調整用テープは、前記吸水体における前記貫通部側の角部近傍に対応する位置に一端が固着され他端が接着性を備えるとともに前記他端が前記吸水体から離隔する方向に接着可能に設けられた、請求項１に記載のペット用紙オムツ。
【請求項３】
前記調整用テープは、前記他端が前記短辺方向に広がるように前記一端が固着された、請求項２に記載のペット用紙オムツ。
【請求項４】
前記貫通部は、前記吸水体の短辺外側の本体部に設けられた穴により形成され、
前記穴の周囲において前記短辺に平行な側には前記吸水体を備えない、請求項１〜請求項３のいずれかに記載のペット用紙オムツ。
【請求項５】
前記貫通部は、前記吸水体の短辺外側の本体部に設けられた穴により形成され、
前記吸水体は、前記穴の周囲において前記穴の形状に対応した形状を備える、請求項１〜請求項３のいずれかに記載のペット用紙オムツ。
【請求項６】
前記貫通部は、前記吸水体の短辺外側の本体部に設けられた穴により形成され、
前記本体部は、前記吸水体に対して前記穴を挟む位置に、前記吸水体とは別体の吸水体をさらに備える、請求項１〜請求項３のいずれかに記載のペット用紙オムツ。
【発明の詳細な説明】
【技術分野】
【０００１】
本発明は、犬や猫などに代表される愛玩動物であるペット用の紙オムツに関し、特に、便の状態に関わらず漏れを防止する止着式（テープ式、オープンタイプ）のペット用紙オムツに関する。
【背景技術】
【０００２】
近年、犬や猫などのペットを屋内で飼育する人が増加している。ペットはその習性として排尿行為を単に生理現象として行うだけでなく、自らの縄張りを主張するためのマーキングとして行う場合もあるので、ペットを屋内で飼育する場合、部屋の壁面や家具などに排尿がなされ、屋内が汚損されるという問題がある。
このような屋内での排尿は、成犬になれば訓練によってその行為を所定の場所に行わせることができるが、生まれてから間もない子犬や一歳未満の幼犬、老犬の場合には難しいという問題がある。このような問題を解決するために、ペットに装着するための紙オムツが公知である。このような紙オムツは人間用オムツと類似する構造を備える。しかしながら、（１）ペットは、人間（乳幼児、成人を問わず）とは異なり臀部に尻尾を備えるため紙オムツに尻尾用の穴を設ける必要があり、かつ、その近傍に肛門を備える点、（２）ペットは、慣れない場合には装着の際に人間と比べて大きく動く傾向があり適切な位置に装着することが困難である点、（３）ペットはコミュニケーション等の目的で尻尾を様々な方向に動かす習性がある点が、ペットと人間とで異なる。これらの点から、ペットに紙オムツを装着している場合に排泄物（特に軟便（下痢便））が排泄された際に、尻尾用の穴から排泄物が漏れてしまうことがあった。このような問題を解決するために、たとえば特開２０１２−１３９１２８号公報（特許文献１）には、装着の際および装着後においてオムツの位置がズレ難く、交換作業が容易である、ペット用使い捨てオムツを開示する。
【０００３】
この公報に開示されたペット用使い捨てオムツは、ペットの胴が通される筒状部分と、この筒状部分から両後脚の間を通り尻尾近傍までを覆うための本体部分と、この本体部分から延出して尻尾の両側を通り、筒状部分の外面に着脱可能に連結される連結部分とを備えた、ことを特徴とする。このペット用使い捨てオムツによると、筒状部分にペットの後脚を経由して胴まで通した後、本体部分から延出する連結部分を尻尾の両側を経由して筒状部分の外面に連結する、という手順で装着を行うことができる。よって、ペットの胴が筒状部分に通されることになるため、装着前後においてオムツの位置がズレ難くなる。よって、オムツを体の適切な位置に容易に装着でき、またその状態を装着後も維持できるようになる。また、装着中にペットが逃げ出してしまっても、筒状部分にペットの胴を通した後であれば、装着作業のやり直しも容易となる。
【先行技術文献】
【特許文献】
【０００４】
【特許文献１】特開２０１２−１３９１２８号公報
【発明の概要】
【発明が解決しようとする課題】
【０００５】
しかしながら、特許文献１に開示されたペット用使い捨てオムツは、装着前の時点からペットの胴部を覆う筒状部分を備え、本体部分から延出する連結部分を尻尾の両側を経由して筒状部分の外面に連結することによりオムツとして機能させている。
このペット用使い捨てオムツであると、尻尾を穴部に通す必要はないものの、胴部を筒状部分に通さなければならない。大型の老犬であって立ち上がるのが困難な場合、胴部を筒状部分に通すのは（尻尾を穴部に通すよりも）相当な労力を人間が必要とする。
【０００６】
さらに、この公報の図１および図２を参照すると、尻尾嵌め入れ部は背中側が開放されている形状である。このように、穴形状でない場合には尻尾を穴部に通すよりも装着が簡単になるとはいえ背中側が開放されている形状であることに加えて２本の連結部分により本体部分と連結されているだけであるので、ペットの動きおよび／または尻尾の動きにより、尻尾嵌め入れ部が下方へずれ下がることは容易に想像できる。尻尾嵌め入れ部が下方
へずれ下がれば、尻尾嵌め入れ部が端部に設けられているために肛門が露出したり、尻尾嵌め入れ部と吸水体とが離隔しているために肛門から吸水体がさらに離隔してしまったりして、排泄物が漏れてしまう可能性がある。
【０００７】
さらに、この公報の図１および図２を参照すると、尻尾嵌め入れ部と吸水体との位置関係は一義的に決まってしまう。一方、ペットの種類（犬種、猫種）および同じ種類であっても個体により、尻尾と肛門との位置関係は様々であるので、上述のように尻尾嵌め入れ部が下方へずれ下がらなくとも、そもそも肛門の位置に吸水体が存在しない場合も考えられる。
【０００８】
さらに、便の種類（主に粘度）によっては、粘度が高いと（水分が少なく硬いと）肛門からの排泄後に背中側へ盛り上がって漏れるために、肛門近傍において空間部を備えたい場合や、これに相反して粘度が低いと（水分が多く柔らかいと）肛門からの排泄後を漏れさないために、肛門近傍において空間部を備えたくない場合がある。このように１個体であってもペットの体調により装着状態を変化させたいと思っても、上述したように位置関係は一義的に決まってしまうので、装着状態を変化させることは困難である。
【０００９】
本発明は、従来技術の上述の問題点に鑑みて開発されたものであり、その目的とするところは、大型犬であっても装着が容易で、排泄物を漏らすことなく、ペットの体調等により装着状態を容易に変化させることができるペット用紙オムツを提供することを目的とする。
【課題を解決するための手段】
【００１０】
上記目的を達成するため、本発明に係るペット用紙オムツは以下の技術的手段を講じている。
すなわち、本発明に係るペット用紙オムツは、平面視で略長方形のシート状の吸水体と、前記吸水体を挟持して保持する少なくとも２層構造の本体部とを含むペット用紙オムツであって、前記本体部は、装着時においてペットの胴部を筒状に覆うための部位が前記略長方形の短辺両端側に延設されるとともに、装着時において前記ペットの尻尾が貫通する貫通部を前記吸水体の短辺近傍の位置に備え、前記本体部の非吸水面側の前記貫通部近傍に設けられ、装着時において前記吸水体を背中側へ引き上げるための調整手段を含む。
【００１１】
好ましくは、前記調整手段は、前記本体部の非吸水面側に設けられた少なくとも２本の調整用テープを含み、前記調整用テープは、前記吸水体における前記貫通部側の角部近傍に対応する位置に一端が固着され他端が接着性を備えるとともに前記他端が前記吸水体から離隔する方向に接着可能に設けるように構成することができる。
さらに好ましくは、前記調整用テープは、前記他端が前記短辺方向に広がるように前記一端が固着するように構成することができる。
【００１２】
さらに好ましくは、前記貫通部は、前記吸水体の短辺外側の本体部に設けられた穴により形成され、前記穴の周囲において前記短辺に平行な側には前記吸水体を備えないように構成することができる。
さらに好ましくは、前記貫通部は、前記吸水体の短辺外側の本体部に設けられた穴により形成され、前記吸水体は、前記穴の周囲において前記穴の形状に対応した形状を備えるように構成することができる。
【００１３】
さらに好ましくは、前記貫通部は、前記吸水体の短辺外側の本体部に設けられた穴により形成され、前記本体部は、前記吸水体に対して前記穴を挟む位置に、前記吸水体とは別体の吸水体をさらに備えるように構成することができる。
【発明の効果】
【００１４】
本発明に係るペット用紙オムツによれば、大型犬であっても装着が容易で、排泄物を漏らすことなく、ペットの体調等により装着状態を容易に変化させることができる。
【図面の簡単な説明】
【００１５】
【図１】本発明の実施の形態に係るペット用紙オムツの平面図である。
【図２】図１に示すペット用紙オムツの変形例を示す平面図である。
【図３】図１に示すペット用紙オムツの穴位置調整長さを示す平面図である。
【図４】図１に示すペット用紙オムツの装着手順を示す図（その１）である。
【図５】図１に示すペット用紙オムツの装着手順を示す図（その２）である。
【図６】本発明の他の実施の形態に係るペット用紙オムツの平面図（その１）である。
【図７】本発明の他の実施の形態に係るペット用紙オムツの平面図（その２）である。
【図８】本発明の他の実施の形態に係るペット用紙オムツの平面図（その３）である。
【図９】本発明の他の実施の形態に係るペット用紙オムツの平面図（その４）である。
【図１０】本発明の他の実施の形態に係るペット用紙オムツの平面図（その５）である。
【図１１】本発明の他の実施の形態に係るペット用紙オムツの平面図（その６）である。
【図１２】本発明の他の実施の形態に係るペット用紙オムツの平面図（その７）である。
【発明を実施するための形態】
【００１６】
以下、本発明の実施の形態に係るペット用紙オムツ（以下、単にオムツと記載する場合がある）を、図面に基づき詳しく説明する。なお、このようなオムツの構造には様々なものがあり、本発明は特定の構造に限定されるものではなく、後述する特徴部（調整手段としての調整用テープ）を備えたものであれば、どのようなペット用紙オムツの構造であっても、ペット用紙オムツを構成するシートおよび吸水体等の素材および種類、シートおよび吸水体等の大きさならびにこれらの接合方法がどのようなものであっても構わない。そのため、以下に示すペット用紙オムツにおいて、特徴部以外の構造は単なる例示でしかない。
【００１７】
＜実施の形態＞
図１に本発明の実施の形態に係るペット用紙オムツ１００の平面図を示す。図１（Ａ）は、外側（非吸水側、非透水側）の平面図であって、図１（Ｂ）は、内側（吸水側、透水側、肌側）の平面図である。なお、以下においては、他の実施の形態を含めて平面図における（Ａ）は外側平面図を（Ｂ）は内側平面図を示す。さらに、図１に示すように、紙面上下方向をこのペット用紙オムツ１００の前後方向（後述する吸水体の長辺方向、縦方向）であって、紙面上側がペットに装着した際のペットの背中側であって、紙面下側がペットに装着した際のペットの腹側である。また、紙面左右方向をこのペット用紙オムツ１００の幅方向（後述する吸水体の短辺方向、横方向）である。以下においては、他の実施の形態を含めて平面図における紙面における方向も、図１に示したペット用紙オムツの方向と同じである。
【００１８】
・全体構成
図１に示すように、このペット用紙オムツ１００は、平面視で略長方形のシート状の吸水体１３０と、吸水体１３０を表裏方向で挟持して保持する少なくとも２層構造からなる略長方形の本体部１１０とを含む。この本体部１１０においては、装着時においてペットの胴部を筒状に覆うための部位が略長方形の短辺両端側に延設され、胴背部１１２および胴腹部１１４を形成している。また、この本体部１１０においては、装着時においてペットの尻尾が貫通するＵ字形状の穴部１５０（貫通部）を吸水体１３０の短辺近傍の位置に備える。
【００１９】
そして、特徴部として、本体部１１０の非吸水面側の穴部１５０近傍には、装着時において吸水体１３０を背中側へ引き上げるための調整手段を備える。さらに具体的には、この調整手段の一例として、本体部１１０の非吸水面側に設けられた少なくとも２本の調整用テープ（フィットテープと呼ばれることがある）１６０により構成される。この調整用テープ１６０は、吸水体１３０における穴部１５０側の角部近傍に対応する位置に一端が固着され他端が接着性を備えるとともにこの他端が吸水体１３０から離隔する方向（紙面でいう上方向（背中方向））に接着可能に設けられている。さらに、この調整用テープ１
６０は、他端が短辺方向に広がるように一端が固着されている。
【００２０】
なお、本実施の形態に係るペット用紙オムツにおいては、この調整用テープ１６０の他端が短辺方向に広がるように一端が固着されている広角型に限定されるものではなく、図２に示す調整用テープ２６０のようにテープ端面が互いに平行な並行型であっても構わない。なお、図１と図２とにおいて異なるのはこの調整用テープの傾きおよび吸水体の背中側短辺形状だけであってその他の構成は同じであり、同じ構成には同じ参照符号を付してある。また、以下に示す他の実施の形態に係るペット用紙オムツにおいても、調整用テープは広角型であるとして説明するが、図２に示す並行型であっても構わない。
【００２１】
本実施の形態を含み、本発明に係るペット用紙オムツは、このように特徴部としての調整手段（調整用テープ）を備える。この特徴部を含めて、本実施の形態に係るペット用紙オムツ１００の構成について説明する。なお、公知技術に基づく構成については、詳しく説明しなくても当業者であれば実施できる範囲において詳しく説明していない部分がある。
【００２２】
・本体部
本体部１１０は、吸水体１３０、吸水体１３０を挟持する外側の非吸水性シートおよび内側の吸水性シートを含んで構成され、このような非吸水性（非透水性）シートおよび吸水性（透水性）シートは、各１層の計２層に限定されるものではなく、ペットの排泄物（水分）を吸水体１３０に吸水させて、このペット用紙オムツ１００の外部に浸透しない構成であれば、大きさおよび素材等については特に限定されるものではない。
【００２３】
本体部１１０から延設された胴背部１１２および胴腹部１１４は、ペットの胴体に巻着されて、胴回りテープ貼着部（サイズ調整ベルトやターゲットシートと呼ばれることがある）１２０に胴回りテープ（スムーズテープやファスニングテープと呼ばれることがある）１２２を外側かつ左右から回り込ませて接着することにより、ペット用紙オムツ１００をペットの胴体に装着する。このため、胴背部１１２の中央部近傍には非吸水面側には胴回りテープ貼着部１２０が、胴腹部１１４の両端近傍には、胴回りテープ１２２がそれぞれ設けられている。なお、図１においては一方の胴回りテープ１２２を胴回りテープ貼着部１２０に接着可能な状態で示している。
【００２４】
胴回りテープ１２２は、本体部１１０の幅方向と平行な方向に延び、この胴回りテープ１２２は、たとえば、メカニカルファスナー（面ファスナー）の雄側であるフック部１２２Ｂと、胴回りテープ１２２が折り畳まれて収納されている場合の接着部１２２Ｃおよび接着部１２２Ｃが貼着されている剥離部１２２Ｄと、接着部１２２Ｃを剥離する際に把持する把持部１２２Ａとを備える。この胴回りテープ１２２は、折り返し線１２２Ｅで折り返されて接着部１２２Ｃが剥離部１２２Ｄに貼着されて収納され、把持部１２２Ａを把持して接着部１２２Ｃを剥離部１２２Ｄから剥離することにより胴回りテープ貼着部１２０に接着可能な状態となる。この胴回りテープ１２２が接着される胴回りテープ貼着部１２０は、胴回りテープ１２２のフック部１２２Ｂにメカニカルファスナーの雄側が使用される場合にはこのフック部１２２Ｂの構造に対応し、メカニカルファスナーの雌側（ループ）が使用される。このように胴回りテープ貼着部１２０および胴回りテープ１２２を構成することにより、胴回りテープ１２２を胴回りテープ貼着部１２０へ接着／離隔を繰り返すことができる。胴回りテープ１２２を胴回りテープ貼着部１２０へ適切かつ左右均等に接着させるために、胴回りテープ貼着部１２０には、背中側であることを示すイラストおよび／または中央位置が明記された目盛りを付したイラストを設けることも好ましい。
【００２５】
・穴部
本体部１１０において、吸水体１３０の背中側短辺近傍の位置に穴部１５０が設けられる。この穴部１５０の形状はＵ字形状であって、背中側において直線状に本体部１１０に接続され、腹側においてＵ字状に切り込みが入れられて形成されている。このＵ字状の穴部１５０の大きさ（幅方向長さおよび前後方向の切れ込み長さ）は、このペット用紙オムツ１００の全体の大きさ（代表的には胴背部１１２と胴腹部１１４とが接合されることにより形成される胴回り長さ）により決定されるペットの尻尾形状に対応させて決定される。なお、穴部１５０の形状は、図示したＵ字形状に限定されるものではなく、Ｕ字以外の
丸穴等であっても、穴ではなく直線状のスリットであっても十字状のスリットであっても構わず、装着時においてペットの尻尾が貫通する貫通部を形成することができれば構わない。なお、穴部１５０は、吸水体１３０を貫通して設けられていても構わない。
【００２６】
・吸水体
吸水体１３０は、尿および軟便に含まれる水分などの液体を吸収して吸収した液体を保持するための部材である。吸水体１３０は、外側の非吸水性シート（液不透過性のバックシート）および内側の吸水性シート（液透過性のトップシート）により挟持されている。吸水体１３０の形状は略長方形であって、穴部１５０の周囲において穴部１５０の形状に対応して切り欠いた形状を備える。すなわち、略長方形の形状を備えた吸水体１３０の背中側の短辺は、穴部１５０のＵ字型に対応した凹部１３２を備える。さらに、この吸水体１３０は、穴部１５０の周囲において短辺に平行な側には設けられていない。
【００２７】
さらに、本体部１１０は、この吸水体１３０に対して穴部１５０を挟む位置に、吸水体１３０とは別体の吸水体１４０をさらに備える。この吸水体１４０も平面視で略長方形であって、吸水体１３０の凹部１３２と穴部１５０を中心に対象となるような凹部１４２を備える。また、吸水体１３０の背中側短辺において、凹部１３２以外の部分は、このペット用紙オムツ１００の幅方向に対して斜めとなっているが、図２に示す吸水体２３０のように、ペット用紙オムツ２００の幅方向に対して平行であっても構わない。
【００２８】
これらの吸水体１３０および吸水体１４０を構成する吸収性材料には，公知の材料を採用することができる。吸収性材料としては、たとえば、フラップパルプ、高吸収性ポリマーまたは親水性シートを用いることができる。また、これらのうちの１種類を単独で用いても構わないし、これらの２種類以上を併用しても構わない。このような吸収性材料は、通常、単層または複数層のマット状に形成されて用いられる。また、吸収性材料は、不織布によって周囲を被包されてパルプやポリマーが外部に投出しないよう保護されていることも好ましい。
【００２９】
・立体ギャザー
このペット用紙オムツ１００には、ペットからの排泄物を漏らさないように、本体部１１０の幅方向端部に装着時にペットの肌側へ立設する立体ギャザー１１８を備える。さらに、このペット用紙オムツ１００には、立体ギャザー１１８と相俟ってペットから排泄された排泄物を外部へ漏らさないように、胴背部１１２と胴腹部１１４とが接合された装着時におけるペット下肢（後脚）の周りを適度に締め付ける弾性伸縮部１１６を備える。この弾性伸縮部１１６として、たとえば、複数の糸状弾性ゴムが多層から構成されるシートの間に設けられている。
・特徴部（調整手段、調整用テープ）
上述したように、本実施の形態に係るペット用紙オムツ１００を含み本発明に係るペット用紙オムツは、特徴部として調整手段を備え、その調整手段の一例として調整用テープ１６０を備える。以下、この調整用テープ１６０について詳しく説明する。
【００３０】
図１および図２に示すように、調整用テープ１６０（この段落において調整用テープ２６０を含む）は、平面視において、吸水体１３０（この段落において吸水体２３０を含む）の角部近傍に対応する位置に重なるように、その一端が接着されて固定されている（固着されている）。このように、吸水体１３０に対する調整用テープ１６０の固着位置は、装着方法において後述するように、吸水体１３０を調整用テープ１６０により背中側へ引き上げる作用を発現するために重要である。
【００３１】
また、この調整用テープ１６０および調整用テープ２６０は、上述した胴回り用テープの先端と同じような構成を備える。すなわち、調整用テープ１６０および調整用テープ２６０の固着端とは反対側の一端は、フック部１２２Ｂに対応するフック部、接着部１２２Ｃに対応する接着部、剥離部１２２Ｄに対応する剥離部および把持部１２２Ａに相当する把持部を備える。そして、この調整用テープ１６０および調整用テープ２６０のフック部の構造に対応し、胴回りテープ貼着部１２０に相当するメカニカルファスナーの雌側（ループ）が、非吸水面であって吸水体１３０から背中方向へ離隔する領域（図３において調整用テープ１６０が伸張した場合の先端部分の領域）に使用される。なお、本実施の形態
に係るペット用紙オムツ１００においては、最外層のバックシートにこのメカニカルファスナーの雌側（ループ）の機能を持たせている。また、胴回りテープ貼着部１２０と同じような構成のシートを最外層のバックシートに貼付しても構わない。さらに、胴回りテープ貼着部１２０を拡大させて、調整用テープ１６０のフック部または調整用テープ２６０のフック部を接着するようにしても構わない。
【００３２】
調整手段として調整用テープをこのように備えるために、図３に示すように、穴部１５０の位置を調整することができる。図３は、調整用テープ１６０を収納した状態と調整用テープ１６０を伸張させて調整用テープ１６０のフック部を背中側に接着した状態とにおける穴部１５０の位置の調整長さを示す。図３に示すように、この調整手段である調整用テープ１６０により、穴部１５０の下端位置が背中側へ引き上げられ穴部１５０の開口面積が縮められ、吸水体１３０が背中側へ引き上げられていることがわかる。この場合において、穴部１５０の周囲において短辺に平行な側には吸水体１３０は設けられていないので、穴部１５０の位置が調整されたり、穴部１５０の開口面積が縮められたり、吸水体１３０が背中側へ引き上げられたりすることを阻害しない。
【００３３】
・装着方法
以上のような構成を備えた本実施の形態に係るペット用紙オムツ１００のペットへの装着方法を図４および図５を参照して説明する。
まず、図４（Ａ）に示すように、このペット用紙オムツ１００の吸水面がペットの肌側になるように、たとえば背中側のイラストが付いた胴回りテープ貼着部１２０が上方になるように、ペットの臀部にペット用紙オムツ１００をあてる。このとき、立体ギャザー１１８を十分に立てることが好ましい。次いで、図４（Ｂ）に示すように、ペットの尻尾を穴部１５０に通して、Ｕ字型の切れ込みを矢示Ａ方向（外側）へ出す。次いで、図４（Ｃ）に示すように、折り畳まれて収納されている胴回りテープ１２２の把持部１２２Ａを指先で把持して接着部１２２Ｃを剥離部１２２Ｄから外して、胴回りテープ１２２を矢示Ｂ方向へ伸張させて、胴回りテープ１２２をペットの背中側へ回す。
【００３４】
次いで、図５（Ａ）に示すように、胴背部１１２を矢示Ｃ方向へ引っ張りつつ、胴腹部１１４をペットの体（腹部および下肢）に沿わせながら、たとえば中央位置が明記された目盛りを付したイラストを目印に胴回りテープ１２２を胴回りテープ貼着部１２０に左右対称に接着する。このとき、メカニカルファスナーの作用により、胴回りテープ貼着部１２０は、何度でも胴回りテープ貼着部１２０に付け直しすることができる。
【００３５】
次いで、図５（Ｂ）に示すように、折り畳まれて収納されている左右の調整用テープ１６０の把持部（把持部１２２Ａに対応）を指先で把持して接着部（接着部１２２Ｃに対応）を剥離部（剥離部１２２Ｄに対応）から外して、左右の調整用テープ１６０を矢示Ｄ方向へ伸張させて、尻尾周りに隙間ができないようにペット用紙オムツ１００を矢示Ｅ方向へ引き上げながら調整する。このとき、このペット用紙オムツ１００が装着されるペットの体調を鑑みると、粘度の高い硬い便が出そうな場合には肛門近傍において空間部を備えるように、粘度の低い柔らかい便や下痢便が出そうな場合には肛門近傍において空間部を備えないように、調整することが好ましい。
【００３６】
次いで、図５（Ｃ）に示すように、調整したペットの尻尾周りに合わせて左右の調整用テープ１６０を、このペット用紙オムツ１００の非吸水面であって吸水体１３０から背中方向へ離隔する領域で接着する。このとき、メカニカルファスナーの作用により、左右の調整用テープ１６０は、何度でも付け直しすることができる。
以上のようにして、本実施の形態に係るペット用紙オムツによると、止着式（テープ式、オープンタイプ）のペット用紙オムツにおいて、装着時に吸水体を背中側へ引き上げるための調整手段（調整用テープ）を備えたために、ペットへの装着が容易で、排泄物を漏らすことなく、ペットの体調等により装着状態を容易に変化させることができる。
【００３７】
＜他の実施の形態＞
以下、本発明の他の実施の形態に係るペット用紙オムツ３００について説明する。なお、以下に説明する他の実施の形態に係るペット用紙オムツ３００〜７００は、上述した第１の実施の形態に係るペット用紙オムツ１００と吸水体の形状およびその形状の差異によ
る調整用テープの位置が異なる。それ以外は、第１の実施の形態と同じであるので、上述した説明と重複する部分についてはここでは繰り返さない。
【００３８】
図６に示すように、他の実施の形態に係るペット用紙オムツ３００は、ペット用紙オムツ１００の吸水体１３０の凹部１３２および吸水体１４０の凹部１４２に替えて、吸水体３３０のＶ字部３３２および吸水体３４０のＶ字部３４２を備える。そして、このＶ字部３３２の角部に対応する位置に調整用テープ３６０の一端が固着されている。
図７に示すように、さらに他の実施の形態に係るペット用紙オムツ４００は、ペット用紙オムツ１００の吸水体１３０の凹部１３２および吸水体１４０の凹部１４２に替えて、吸水体４３０のＵ字部４３２および吸水体４４０のＵ字部４４２を備える。そして、このＵ字部４３２の角部に対応する位置に調整用テープ４６０の一端が固着されている。
【００３９】
図８に示すように、さらに他の実施の形態に係るペット用紙オムツ５００は、図１に示すペット用紙オムツ１００において、吸水体１４０を備えないものである。
図９に示すように、さらに他の実施の形態に係るペット用紙オムツ６００は、図６に示すペット用紙オムツ３００において、吸水体３４０を備えないものである。
図１０に示すように、さらに他の実施の形態に係るペット用紙オムツ７００は、図７に示すペット用紙オムツ４００において、吸水体４４０を備えないものである。
【００４０】
なお、図６〜図１０を参照して説明した実施の形態に係るペット用紙オムツにおける調整用テープは広角型であるが、上述したように並行型であっても構わない。
さらに、上述した実施の形態に係る全てのペット用紙オムツにおいて、調整用テープが少なくとも２本必要であって、２本の場合、穴部１５０を対称として左右に振り分けられて設けられる。また、図１１に示す他の実施の形態に係るペット用紙オムツ８００は、図１に示すペット用紙オムツ１００において、２本の調整用テープ１６０を接着側（フック側）端部は２本のままで固着端を１本にした調整用テープ８６０を備える。本発明に係るペット用紙オムツの調整用テープには、このようなＶ字型（さらにはＹ字型）の調整用テープ８６０も包含する。また、図１２に示す他の実施の形態に係るペット用紙オムツ９００は、図２に示すペット用紙オムツ２００において、２本の調整用テープ２６０を接着側（フック側）端部は２本のままで固着端を１本にした調整用テープ９６０を備える。本発明に係るペット用紙オムツの調整用テープには、このようなコの字型の調整用テープ９６０も包含する。
【００４１】
以上のようにして、図６〜図１２を参照して説明した実施の形態に係るペット用紙オムツによると、止着式（テープ式、オープンタイプ）のペット用紙オムツにおいて、装着時に吸水体を背中側へ引き上げるための調整手段（調整用テープ）を備えたために、ペットへの装着が容易で、排泄物を漏らすことなく、ペットの体調等により装着状態を容易に変化させることができる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明は、犬や猫などに代表される愛玩動物であるペット用の紙オムツに好適であり、排泄物を漏らすことない点で好ましく、大型犬であっても装着が容易で、ペットの体調等により装着状態を容易に変化させることができる点で、特に好ましい。
【符号の説明】
【００４４】
１００  ペット用紙オムツ
１１０  本体部
１２０  胴回りテープ貼着部（サイズ調整ベルト、ターゲットシート）
１２２  胴回りテープ（スムーズテープ、ファスニングテープ）
１３０  吸水体
１４０  上部吸水体
１５０  穴部（貫通部）
１６０  調整用テープ（フィットテープ）
２００  ペット用紙オムツ（凹切れ込み上下吸水体・並行調整用テープ）
３００  ペット用紙オムツ（Ｖ切れ込み上下吸水体・広角調整用テープ）
４００  ペット用紙オムツ（Ｕ切れ込み上下吸水体・広角調整用テープ）
５００  ペット用紙オムツ（凹切れ込み下吸水体・広角調整用テープ）
６００  ペット用紙オムツ（Ｖ切れ込み下吸水体・広角調整用テープ）
７００  ペット用紙オムツ（Ｕ切れ込み下吸水体・広角調整用テープ）
８００  ペット用紙オムツ（凹切れ込み上下吸水体・広角Ｖ字調整用テープ）
９００  ペット用紙オムツ（凹切れ込み上下吸水体・並行コの字調整用テープ）
【図１】
2015029467.tif 000003
【図２】
2015029467.tif 000004
【図３】
2015029467.tif 000005
【図６】
2015029467.tif 000006
【図７】
2015029467.tif 000007
【図８】
2015029467.tif 000008
【図９】
2015029467.tif 000009
【図１０】
2015029467.tif 000010
【図１１】
2015029467.tif 000011
【図１２】
2015029467.tif 000012
【図４】
2015029467.tif 000013
【図５】
2015029467.tif 000014